(57)【要約】【課題】従来のヒューマンインターフェースに関する技術は、直感的な操作が可能だとしても、例えば拡大／縮小し過ぎ、という具合にその表示形態が必ずしもユーザーの意図を反映したものになるとは限らない、という課題がある。また、個別にユーザー設定などを行ってしまうと、情報弱者でも操作可能なインターフェースを提供するというその基本理念から逸脱してしまう。【解決手段】上記課題解決のため、本発明は、例えばストレス刺激に対する体内の防御反応を示す生理情報などから、ストレスを感じないようなユーザーに好適と推定される表示形態を選択し情報表示を行う生理適応型表示装置を提供する。また、生理情報に加えて装置自身の物理的運動状態を示す運動情報を取得し、その運動情報も加味した情報表示形態の選択処理を行う生理適応型表示装置も提供する。【選択図】図２
2007265274.tif 000002
【特許請求の範囲】
【請求項１】
生理情報を取得する身体に装着可能な生理情報センシング部と、
情報を複数の形態で表示可能な情報表示部と、
取得された生理情報に応じて情報表示部での表示の形態を選択する選択部と、
を有する生理適応型表示装置。
【請求項２】
自身の物理的運動状態を示す運動情報を取得する運動情報取得部をさらに有し、
前記選択部は、さらに取得した運動情報にも応じて前記選択をするように構成された請求項１に記載の生理適応型表示装置。
【請求項３】
身体に装着可能なセンサ部から生理情報を取得する生理情報センシングステップと、
前記取得された生理情報に応じて情報表示部での表示の形態を選択する選択ステップと、
前記選択された表示形態により情報を情報表示部にて表示する情報表示ステップと、
を計算機にて実行する生理適応型表示方法。
【請求項４】
身体に装着可能なセンサ部から生理情報を取得する生理情報センシングステップと、
表示装置の物理的運動状態を示す運動情報を取得する運動情報取得ステップと、
前記取得された生理情報と運動情報とに応じて情報表示部での表示の形態を選択する選択ステップと、
前記選択された表示形態により情報を情報表示部にて表示する情報表示ステップと、
を計算機にて実行する生理適応型表示方法。
【発明の詳細な説明】
【技術分野】
【０００１】
本発明は、情報を表示する表示装置の操作を効率的に行うための技術に関する。
【背景技術】
【０００２】
日常的に、多くの人がコンピュータ（計算機）や機械に接する現代において、人間がそのコンピュータなどを効率的に操作するための、いわゆる「ヒューマンインターフェース」の研究が行われている。そして、そのヒューマンインターフェースの研究の一環として、キーボードやマウスなどに替わる新たな操作入力系が様々発明され提案されている。
【０００３】
例えば、特許文献１では、画像表示装置に測距手段を設け、画像表示装置の画面と観察者との間の距離に応じて、近づければ画像を拡大し遠ざければ縮小する、という具合の表示を行う画像表示装置が開示されている。
【０００４】
これは、ヒューマンインターフェース研究の「一貫性(Consistency)」と呼ばれる概念を利用したもので、コンピュータ上の表示画面の拡大／縮小操作を、多くの人がその扱い方をすでに知っている虫眼鏡と同じ（一貫した）動作で行えるよう構成することで、直感的且つ簡便な表示画面の拡大／縮小操作を可能としている。
【０００５】
また、その他にも、画像表示装置に加速度センサや重力センサを備え、装置を上下左右に傾けることで表示画面の上下左右のスクロールを行う構成とした画像表示装置や、カメラと画像解析ソフトを備え、閲覧者の手や身体の動きに応じて画像表示を行う画像表示装置など、さまざまな技術が開示されている。
【特許文献１】特開平１１−２３８１２４号公報
【発明の開示】
【発明が解決しようとする課題】
【０００６】
しかし、上記従来の技術には、以下のような課題がある。すなわち、たとえ直感的な操作によって、拡大／縮小などのさまざまな表示形態による情報の表示を行うことができたとしても、例えばユーザーの予想以上に拡大／縮小してしまう、など、その操作による表示形態が必ずしもユーザーの意図を反映したものになるとは限らない、という課題である。
【０００７】
また、ユーザーの意図が可能な限り忠実に表示形態に反映されるよう、「顔と装置の距離２０ｃｍで表示２倍、１０ｃｍで３倍に拡大する」という具合にユーザーが個別にユーザー設定などを行ってしまうと、そもそも高齢者などの情報弱者でも操作可能なインターフェースを提供するというヒューマンインターフェースの基本理念から逸脱してしまう。
【課題を解決するための手段】
【０００８】
以上の課題を解決するために、本発明は、例えばストレス刺激に対する体内の防御反応を示す生理情報や、その他の生理情報を取得し、その生理情報からユーザーに好適と推定される表示形態を選択し情報表示を行う生理適応型表示装置を提供する。
【０００９】
具体的には、生理情報を取得する身体に装着可能な生理情報センシング部と、情報を複数の形態で表示可能な情報表示部と、取得された生理情報に応じて情報表示部での表示の形態を選択する選択部と、を有する生理適応型表示装置である。
【００１０】
また、生理情報に加えて装置自身の物理的運動状態を示す運動情報を取得し、運動情報から例えば移動中と検知されれば、その運動情報を加味した情報表示形態の選択処理を行う生理適応型表示装置も提供する。
【００１１】
具体的には、上記生理情報センシング部、情報表示部、選択部、に加え、自身の物理的運動状態を示す運動情報を取得する運動情報取得部をさらに有し、前記選択部は、さらに取得した運動情報にも応じて前記選択をするように構成された生理適応型表示装置である。
【発明の効果】
【００１２】
以上のような構成をとる本発明によって、ユーザーの操作意図を反映し、例えばストレスなどを感じにくい、という具合にユーザーの感性や感覚などに適応した好適な表示形態での情報表示を行うことができる。
【００１３】
また一度実行した（ユーザーに適応した）表示をフィードバックしていくことで、特別な設定操作など無しに好適な表示形態での情報表示を行うことができるので、情報弱者でも充分操作可能なヒューマンインターフェースを備えた表示装置を提供することができる。
【発明を実施するための最良の形態】
【００１４】
以下に、図を用いて本発明の実施の形態を説明する。なお、本発明はこれら実施の形態に何ら限定されるものではなく、その要旨を逸脱しない範囲において、種々なる態様で実施しうる。
【００１５】
なお、実施例１は、主に請求項１、３について説明する。また、実施例２は、主に請求項２、４について説明する。
【００１６】
≪実施例１≫
【００１７】
<概要>
【００１８】
図１に示すのは、本実施例の生理適応型表示装置における情報表示の一例を説明するための概念図である。図１にあるように、この表示装置は、（１）例えばユーザーと装置自身との間の距離を赤外線センサなどで測距し、（２）Ａ．ユーザーの顔から自身が遠ざけられたら表示画像を縮小し画像全体が表示されるよう処理する。また、Ｂ．ユーザーの顔に自身が近づけられたら表示画像の一部を拡大しアップ表示されるよう処理する。
【００１９】
（３）そして、本実施例の生理適応型表示装置は、このときのユーザーの生理情報、ここでは例えば皮膚電気活動（ＥＤＡ）を、ユーザーの身体に装着されたセンサによって測定する。一般的にストレス反応によってＥＤＡの値はストレス時と非ストレス時で異なった値を示す。そこで、画面の拡大処理後にＥＤＡ値が上昇した場合、その拡大率がユーザーの操作意図に適合したものではないためユーザーがストレスを感じていると判断し、（４）拡大率を調整して情報を表示し直す、という具合である。
【００２０】
このように本実施例の生理適応型表示装置によって、ユーザーの操作意図を反映し、例えばストレスなどを感じることのない好適な表示形態での情報表示を行うことができる。
【００２１】
<機能的構成>
【００２２】
図２に示すのは、本実施例の生理適応型表示装置における機能ブロックの一例を表す図である。この図にあるように、本実施例の「生理適応型表示装置」（０２００）は、「生理情報センシング部」（０２０１）と、「情報表示部」（０２０２）と、「選択部」（０２０３）と、を有する。
【００２３】
なお、以下に記載する本装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。
【００２４】
またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。
【００２５】
また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２６】
「生理情報センシング部」（０２０１）は、身体に装着可能であり、生理情報を取得する機能を有する。
【００２７】
「生理情報」とは、生体の活動により自律神経系や免疫系、内分泌系などに生じる変化を示す情報をいい、例えば心拍変動情報、血圧情報、脈波情報、呼吸情報、皮膚電気活動情報、発汗情報、皮膚温情報、眼球運動情報、などが挙げられる。
【００２８】
また、この生理情報センシング部でのセンシングは、例えば心拍変動であれば、心電センサを利用して心拍数を測定して取得する方法が挙げられる。血圧や脈波は、脈に密着させた圧力センサを利用して測定して取得する方法が挙げられる。呼吸情報は、流量センサや気相センサを利用して呼吸量や呼気に含まれる成分の種類を測定して取得する情報が挙げられる。皮膚電気活動などは、電位センサを皮膚に装着し皮膚の電気抵抗を測定して取得する方法が挙げられる。また、その他、サーモセンサで皮膚温を測定したり、カメラ機構で撮像した瞳画像をリアルタイムで解析し眼球運動を測定したりして、皮膚温情報や眼球運動情報を取得する方法なども挙げられる。
【００２９】
このように、この「生理情報センシング部」は、上記のようなさまざまなセンサや、センサで検出したデータを処理する演算器やデータ解析ソフトウェアなどによって実現することができる。
【００３０】
そして、ここで取得された例えば心拍変動情報、血圧情報、脈波情報、呼吸情報、皮膚電気活動情報、発汗情報、皮膚温情報、眼球運動情報などは、例えば堀江良典らの編著による「初学者のための生体機能の測り方（日本出版サービス）」などの文献に示される通り、ストレス反応により変動することが確認されている。つまり、このような生理情報を取得し、後述するようにその生理情報に応じた表示形態を選択することで、ユーザーにストレスを感じさせないような情報表示を行うことができる。
【００３１】
もちろん、生理情報は、このようなストレス反応の有無を判定するための生理情報には限定されず、例えば、赤外線の反射量から眼球表面の水分量を測定することで取得された眼球水分含有情報などであっても良い。そして、ユーザーが乾き目になっているか、などを眼球水分含有情報から判定し、後述の情報表示形態の選択においてドライアイの悪化を防ぐため情報表示をディスプレイ表示から音声出力に切り換える処理を行っても良い。
【００３２】
あるいは生理情報であるＥＤＡ値からユーザーの発汗量を計測し、発汗量の多いユーザーに対しては後述する情報表示部において、対応テーブルなどを利用して暖色部分を寒色に変換し表示する、といった処理を行っても良い。
【００３３】
また、脳波センサを利用して生理情報として脳波を測定し、脳波レベルから入眠状態と判定された場合、後述する情報表示部である表示画面の輝度を暗めに調整する、あるいは音声出力先のスピーカの音量レベルを低めに調整する、といった処理を行っても良い。
【００３４】
そして、本実施例ではこのようにさまざまな生理情報を取得し、後述するようにその生理情報に応じた情報表示を実行することで、ユーザーの生理反応に合わせて、ユーザーに適応した情報表示を行うことができる、というわけである。
【００３５】
「情報表示部」（０２０２）は、情報を複数の形態で表示可能な表示部である。
【００３６】
「複数の形態で表示」とは、例えばディスプレイ上に表示した画像の表示形態をさまざま変更することが挙げられる。画像の表示形態の一例としては、拡大形態／縮小形態、暗バックライト表示形態／明バックライト表示形態、高速スクロール表示形態／低速スクロール表示形態、ウィンドウ表示形態／タブ表示形態、和文訳表示形態／外国文字訳表示形態、暖色表示形態／寒色表示形態、あるいはイメージ動画像（リッチコンテンツ）有表示形態／イメージ画像抜表示形態、ＢＧＭ付表示形態／ＢＧＭ無表示形態、などが挙げられる。
【００３７】
また、「複数の形態での表示」には、このようにディスプレイでの複数の表示形態のほかに、例えば複数の出力表示先に対して選択的に出力する形態なども挙げられる。この形態の一例としては、テキストベースの情報をディスプレイにテキスト画像形態で表示／スピーカに音声形態で出力などが挙げられる。そして本実施例では、このように各種センサによる検出値や入力デバイスからの入力コマンドなどに応じてでさまざまな形態にて行われる情報表示部での情報表示が、生理情報に応じて例えばその拡大率やスクロール速度などが選択されることを特徴としている。
【００３８】
図３及び図４に示すのは、この情報表示部での表示形態の一例について説明するための図である。この図３の（１）にあるように、例えば、装置に赤外線センサなどの測距センサを備えユーザーの顔までの距離を測定し、装置と顔の距離が最初の２０ｃｍから１０ｃｍになった場合、すなわちユーザーが装置を顔に近づける（あるいは顔を装置に近づける）動作を行った場合に、その距離ｘを変数する拡大率決定関数ｆ（ｘ）を利用して画面表示を拡大する制御を行う、という具合の表示形態である。
【００３９】
また、この拡大、あるいは縮小の表示形態は、測距センサ以外に例えば加速度センサなどを利用して、装置の前後移動を検出することで表示画像の拡大／縮小処理を行い表示画面に表示しても良い。また、その表示倍率の決定は、例えば上記のように所定の関数ｆ（ｘ）を利用しても良いし、距離数値を引数としたテーブルを利用して決定されても良い。またそれ以外のデータによって決定されても良い。そして、本実施例では、例えばこのようにして決定される拡大率を、後述する選択部において生理情報に示されるユーザーのストレス反応などに応じて調整するよう選択することを特徴とする。
【００４０】
また図３の（２）に示すように、装置に内蔵された傾きセンサによって装置の傾き方向を検出し、例えば装置が右方向に傾けられた場合、表示画面を右方向にスクロールさせる、という具合の表示形態なども挙げられる。また、その傾き角度に応じてスクロール速度を調整可能であっても良い。そして、本実施例では、例えばこのようにして決定されるスクロールの速度を、後述する選択部において生理情報に示されるユーザーのストレス反応などに応じて調整するよう選択する。
【００４１】
また図４の（３）にあるように、例えば赤外線フォトトランジスタで受光される反射赤外線の量を測定することによって視線がどの方向を向いているかを検出するセンサを備えたヘッドマウントディスプレイ装置などでは、表示画面中に複数表示されているウィンドウの中からユーザーの視線で示されるウィンドウを拡大して表示したり、操作可能な状態に表示したりする形態も挙げられる。そして、本実施例では、例えばこのような視線検出の精度を、後述する選択部において生理情報に示されるユーザーのストレス反応などに応じて調整するよう選択する、という具合である。
【００４２】
また、図４の（４）にあるように、装置が照度センサを備え、周囲の明るさが所定値以下であれば、ディスプレイへの出力表示からスピーカへの音声出力へと切替る表示（出力）形態も挙げられる。あるいは照度センサによる明るさ検出に応じて、ディスプレイのバックライト輝度を調整する表示形態なども挙げられる。そして、本実施例では、例えばこのような切替の判断基準と成る明るさの閾値を、後述する選択部において生理情報に示されるユーザーのストレス反応などに応じて調整するよう選択する、という具合である。
【００４３】
このように、本発明の情報表示部では、例えばディスプレイに表示する画像に対しグラフィックアクセラレータなどで画像処理を行うことにより拡大形態での表示や縮小形態での表示、スクロール表示、ウィンドウ選択表示、出力先切替表示（出力）、リッチコンテンツやＢＧＭを含んだ／取り除いた表示、などという具合に複数の表示形態で表示することが可能となっている。したがって次の選択部において、生理情報センシング部において取得した生理情報に応じて、その複数の表示形態の中から好適な表示形態を選択することができる。
【００４４】
「選択部」（０２０３）は、取得された生理情報に応じて情報表示部（０２０２）での表示の形態を選択する機能を有する。
【００４５】
「生理情報に応じた表示形態の選択」とは、例えば前述のように、生理情報である眼球水分含有率が異常乾燥値を示す閾値以下である場合はユーザーが乾き目になっている、としてドライアイの悪化を防ぐためその情報表示形態をディスプレイ表示形態から音声出力形態に切り換える選択などが挙げられる。
【００４６】
図５に示すのは、この選択部での選択の一例を説明するための概念図である。この図にあるように、例えば装置のフラッシュメモリなどに「ＥＤＡレベル−表示処理内容テーブル」が保持されている。そして前記情報表示部での情報表示を行った後に電位測定によりＥＤＡ（皮膚電気活動）値を計測する。ここで計測されたＥＤＡレベルが標準レベル５以下である場合は、情報表示部での情報表示によるストレス反応は見られないとして、装置と顔の距離を１０ｃｍ近づけることで２倍の拡大表示処理を実行する、という具合の通常の拡大縮小処理を行う。
【００４７】
一方、測定されたＥＤＡレベルが標準レベルより高い６から８である場合、その通常の拡大倍率ではユーザーにストレスを与えているとして、例えば装置と顔の距離を１０ｃｍ近づけた際の拡大倍率を通常の１．５倍として拡大処理する、という具合の処理を行う。また、測定されたＥＤＡレベルがさらに高い９以上である場合、拡大倍率を下げる処理のほか、ストレスを軽減させる音楽を出力したりストレスを軽減させる表示色を利用した表示を行ったりする、という具合の処理も合わせて行う。
【００４８】
このように、情報を表示した際の生理情報で示される例えばストレス反応に応じて、その拡大縮小倍率やスクロール速度、視線検出精度、出力先切替の明るさの閾値などの係数を変更し調整することで、ユーザーの操作意図を反映し、例えばユーザーがストレスなどを感じることがない、という具合にユーザーに好適な表示形態での情報表示を行うことができる。
【００４９】
なお、生理情報で示される例えばユーザーのストレス反応が、拡大しすぎに起因するのか拡大率が不足していることに起因するのかについては、例えばフィードバックによって判断すると良い。具体的には、一度選択実行した表示形態に関する情報、さらに拡大してストレス反応が低下したか上昇したか、をフィードバックし、次回以降の選択に反映する、という具合である。また例えば拡大率決定関数の係数などをフラッシュメモリに保持し、次回以降の選択にフィードバックすることで、特別なユーザー設定など行わなくてもユーザーに好適な情報表示を行うことが出きるようになる。
【００５０】
<本実施例のハードウェア構成>
【００５１】
図６に示すのは、上記機能的な各構成要件をハードウェアとして実現した際の、生理適応型表示装置における構成の一例を表す概略図である。この図を利用してユーザーの生理状態に適応した情報表示処理におけるそれぞれのハードウェア構成部の働きについて説明する。この図にあるように、生理適応型表示装置は、各種演算処理を行う「ＣＰＵ（中央演算装置）」（０６０１）と、そのＣＰＵで演算されるデータを格納する「主メモリ」（０６０２）と、を備えている。また、主メモリに読み出されＣＰＵにて実行されるプログラムやそのプログラムの実行に必要なデータなどを保持している「フラッシュメモリ」（０６０３）も備えている。そして、これら「ＣＰＵ」と「主メモリ」、「フラッシュメモリ」などによって前記「選択部」が実現される。
【００５２】
また、ユーザーの装着する「ＥＤＡ値測定センサ」（０６０４）と、そのセンサの測定値を無線データ通信により受信する「Ｉ／Ｏ」（０６０５）により前記「生理情報センシング部」が実現される。また、ビデオチップを含む「ビデオ処理回路」（０６０６）と、「ディスプレイ」（０６０７）により、前記「情報表示部」が実現される。
【００５３】
また、この「ディスプレイ」での情報表示をユーザーが操作するための「距離計測センサ」（０６０８）も備えられている。そしてそれらが「システムバス」などのデータ通信経路によって相互に接続され、情報の送受信や処理を行う。
【００５４】
また、「主メモリ」は、「フラッシュメモリ」に記憶されているプログラムを実行するために展開すると同時にそのプログラムの作業領域でもあるワーク領域を提供する。また、この「主メモリ」や「フラッシュメモリ」にはそれぞれ複数のメモリアドレスが割り当てられており、「ＣＰＵ」で実行されるプログラムは、そのメモリアドレスを特定しアクセスすることで相互にデータのやりとりを行い、処理を行うことが可能になっている。
【００５５】
ここで、例えば図示しないインターネット接続機能や動画再生機能などで取得されたテキスト情報や画像情報などがグラフィックアクセラレータやビデオメモリなどを含む「ビデオ処理回路」にて処理され、「ディスプレイ」にそれら画像やテキストが表示される。
【００５６】
また、「距離計測センサ」は、超音波パルスを出力し、その反射時間を変数とする演算をセンサチップ上で実行することで、ユーザーの顔とこの表示装置との距離を計測する。そして、その計測されたユーザーの顔と表示装置との距離にしたがって前記「ビデオ処理回路」で画像やテキストの拡大縮小処理が実行され、それらが「ディスプレイ」にて拡大縮小表示される。
【００５７】
この「ビデオ処理回路」での拡大縮小処理のため、「主メモリ」のワーク領域に展開された表示形態決定プログラムは、まず、「距離計測センサ」で計測された顔と表示装置との距離を示す数値がを「主メモリ」のアドレス１に格納する。また「フラッシュメモリ」のアドレスαに保持されている拡大率決定関数ｆ（ｘ）を「主メモリ」のアドレス２に読み出し格納する。そして、アドレス１に格納された距離を示す数値を変数ｘとして、拡大率決定関数ｆ（ｘ）を「ＣＰＵ」の演算処理によって計算し、例えば２倍などの拡大率を算出する。
【００５８】
そして、その算出した拡大率に基づいて「ビデオ処理回路」にて表示する画像の拡大処理やアンチエイリアシング処理（拡大画像のスムージング処理）が実行され、「ディスプレイ」にて拡大表示される。
【００５９】
また表示形態決定プログラムは、例えば上記ディスプレイの拡大（縮小）表示によって生じたユーザーの生理的変化に応じてそのディスプレイの拡大（縮小）表示を調整するため、以下のような処理も実行する。
【００６０】
まず、この「ディスプレイ」での拡大表示が実行されたタイミングで、「ディスプレイ」を閲覧しているユーザーの身体に装着された「ＥＤＡ値測定センサ」にて、ユーザーの掌と指に装着した一対の電極間の電位差を計測する。そして計測されたＥＤＡ値を無線データ通信などで表示装置の「Ｉ／Ｏ」にて取得し、「主メモリ」のアドレス３に格納する。
【００６１】
つづいて、「フラッシュメモリ」のアドレスβに保持されているユーザーのストレス反応の有無を判断するための閾値が「主メモリ」のアドレス４に読み出され格納される。そして、その閾値とＥＤＡ値との大小比較処理が「ＣＰＵ」にて実行される。このときＥＤＡ値が閾値未満であれば、表示形態決定プログラムは、ユーザーは上記ディスプレイの２倍の拡大表示ではストレス反応を示していない、として、その拡大処理はユーザーに適応した表示形態である、と判断する。
【００６２】
一方、ＥＤＡ値が閾値以上であれば、表示形態決定プログラムは、ユーザーは上記ディスプレイの２倍の拡大表示ではストレス反応を示している、として、その拡大処理はユーザーに適応した表示形態ではない、と判断する。そこで、拡大率決定関数の係数を変更などし再度拡大処理演算を行い「ディスプレイ」に再計算された拡大率での情報表示を行う。また前記処理結果をフラッシュメモリに記憶しフィードバックしていくことで、その算出される拡大率がユーザーに適応したものとなるよう調整する、という具合である。
【００６３】
<処理の流れ>
【００６４】
図７に示すのは、本実施例の生理適応型表示装置における処理の流れの一例を表すフローチャートである。なお、以下に示すステップは、媒体に記録され計算機を制御するためのプログラムを構成する処理ステップであっても構わない。この図にあるように、まず、（表示画面を閲覧するユーザーの）身体に装着されたセンサから生理情報を取得する（ステップＳ０７０１）。
【００６５】
つづいて、その取得した生理情報に応じて、情報表示部での表示形態を選択し（ステップＳ０７０２）、選択した表示形態で情報を表示する（ステップＳ０７０３）。
【００６６】
<効果の簡単な説明>
【００６７】
以上のように、本実施例の生理適応型表示装置によって、ユーザーの操作意図を反映し、例えばストレスなどを感じにくい、という具合にユーザーに適応した好適な表示形態での情報表示を行うことができる。
【００６８】
また一度実行した（ユーザーに適応した）表示をフィードバックしていくことで、特別な設定操作など無しに好適な表示形態での情報表示を行うことができるので、情報弱者でも充分操作可能なヒューマンインターフェースを備えた表示装置を提供することができる。
【００６９】
≪実施例２≫
【００７０】
<概要>
【００７１】
本実施例は、実施例１を基本として例えばストレス有無などのユーザーの生理状態に加え、さらに装置自身の物理的運動状態にも応じて情報表示形態の選択を行うことを特徴としている生理適応型表示装置である。
【００７２】
例えば、加速度センサを利用して所定の加速パターンが検知されなければ、装置（を保持しているユーザー）の物理的運動状態は移動中であると判断できる。また加速度の値や加速時間からその移動が歩行によるものだと判断することもできる。そして、歩行移動中はユーザー及びこの表示装置は恒常的に振動していると想定されるので、その振動によってユーザーが意図しない範囲で、ユーザーの顔と装置との距離が近づいたり遠ざかったりする可能性がある。
【００７３】
すると、例えば振動によりユーザーの顔と装置とが２ｃｍ近づき、その接近に応じて表示画面の拡大処理を実行しても、それはユーザーの意図によるものではないため、ユーザーにとって好適な情報表示形態の選択がなされたとは言えない。そこで、本実施例では、例えばこのような歩行中の振動誤差などで拡大縮小処理が実行されないよう、歩行中でのユーザーの顔と装置との距離移動が±３ｃｍ以内である場合、表示情報の拡大縮小処理を選択しない、ということを特徴とする。
【００７４】
<機能的構成>
【００７５】
図８に示すのは、本実施例の生理適応型表示装置における機能ブロックの一例を表す図である。この図にあるように、本実施例の「生理適応型表示装置」（０８００）は、実施例１を基本として、「生理情報センシング部」（０８０１）と、「情報表示部」（０８０２）と、「選択部」（０８０３）と、を有する。なお、これら「生理情報センシング部」、「情報表示部」は、実施例１で記載したものと同一であるので、その詳細な説明は省略する。
【００７６】
そして、本実施例の生理適応型表示装置の特徴点は、さらに「運動情報取得部」（０８０４）を有する点である。また「選択部」が、生理情報に加え、後述する運動情報にも応じて実施例１で説明したような選択を行うことも特徴とする。
【００７７】
「運動情報取得部」（０８０４）は、運動情報を取得する機能を有する。「運動情報」とは、自身の物理的運動状態を示す情報を言い、例えば、加速度情報、速度情報、角速度情報、位置情報に基づく移動距離情報、重力情報、振動情報、衝撃情報、などが挙げられる。
【００７８】
また、このような運動情報を取得する運動情報取得部は、例えば加速度センサなどの各種センサによって実現されるほか、画像を取得し時間的前後の画像とのマッチングで移動距離などを算出し運動情報として取得する撮像機能や映像解析回路などによって実現されても良い。
【００７９】
そして、加速度センサであれば、例えば所定の加速パターンが検出されれば装置の物理的運動状態は移動中であると判断することができる。また、その加速度の値によって、歩行で移動か移動手段を利用した移動か、なども判断できる。
【００８０】
また、角速度センサであれば、その検出された角速度の値で装置の回転状態やそのスピードを判断することができる。また、加速度の向きや重力情報を利用して落下状態の判断や、振動情報を利用して振動状態の判断などを行うこともできる。
【００８１】
そして、この取得された運動情報を利用して、例えば、装置の物理的運動状態が歩行移動中であると判断されれば、その歩行移動中であることに好適な情報表示形態を選択し情報を表示することを特徴とする。
【００８２】
「選択部」（０８０４）は、生理情報に加え、さらに取得した運動情報にも応じて前記選択をするように構成されている。
【００８３】
図９に示すのは、本実施例の選択部における運動情報も加味した選択の一例を説明するための図である。この図にあるように、運動情報も加味した情報表示形態の選択として、例えば取得した運動情報である加速度情報からその運動内容が移動中であると判断されれば、情報表示部での拡大縮小処理において、顔と装置と相対距離の変動が±３ｃｍは拡大縮小処理を行わない、といった選択が挙げられる。
【００８４】
また、例えば加速度情報で示される表示装置の移動距離に応じて、装置を保持して動かしているユーザーの運動量を算出する。そして、その運動量が当初設定された目標値に達していない場合には拡大縮小率決定関数の設定などを変更し、通常よりも長く装置を移動させないと拡大縮小が選択実行されないよう構成し、ユーザーの運動量が目標値に達するようにしても良い。
【００８５】
このようにして、生理情報に加え運動情報を加味して好適な情報表示形態を選択し情報を表示することをができる。
【００８６】
<本実施例のハードウェア構成>
【００８７】
図１０に示すのは、上記機能的な各構成要件をハードウェアとして実現した際の、生理適応型表示装置における構成の一例を表す概略図である。この図を利用してユーザーの生理状態に適応した情報表示処理におけるそれぞれのハードウェア構成部の働きについて説明する。
【００８８】
なお、この図に示す生理適応型表示装置のハードウェア構成例は、実施例１同様に選択部である「ＣＰＵ」（１００１）と、「主メモリ」（１００２）と、「フラッシュメモリ」（１００３）を備えている。
【００８９】
また、生理情報センシング部である、ユーザーの装着する「ＥＤＡ値測定センサ」（１００４）と「Ｉ／Ｏ」（１００５）や、情報表示部である「ビデオ処理回路」（１００６）と、「ディスプレイ」（１００７）も備えている。また、この「ディスプレイ」での情報表示をユーザーが操作するための「距離計測センサ」（１００８）も備えられている。
【００９０】
そして、さらに、運動情報取得部を実現する、「加速度センサ」（１００９）などのセンサも備え、それらが「システムバス」などのデータ通信経路によって相互に接続され、情報の送受信や処理を行う。
【００９１】
ここで、実施例１同様に、例えば図示しないインターネット接続機能や動画再生機能などで取得されたテキスト情報や画像情報などが「ビデオ処理回路」にて処理され、「ディスプレイ」にそれら画像やテキストが表示される。そして表示形態決定プログラムは「距離計測センサ」によって計測されたユーザーの顔と表示装置との距離に応じて、「ＣＰＵ」にて拡大縮小率を算出するための演算処理を実行し、前記「ビデオ処理回路」での拡大縮小処理により、それらが「ディスプレイ」にて拡大縮小表示される。
【００９２】
また、その上記ディスプレイの例えば拡大縮小表示は、実施例１同様の表示形態決定プログラムの処理により「ＥＤＡ値測定センサ」にて測定されたユーザーのストレス反応を示す生理情報に応じて、拡大縮小率を抑えた表示形態を選択する（拡大縮小率決定関数の係数などを変更する）。
【００９３】
そして、本実施例の生理適応型表示装置の表示形態決定プログラムは、それに加え、「加速度センサ」にて取得した運動情報にも基づいて情報表示部であるディスプレイでの情報表示形態が決定される。
【００９４】
具体的には、表示形態決定プログラムは「加速度センサ」により検出された装置自身の加速度の数値を「主メモリ」のアドレス１に格納する。そしてその加速度変化パターンを予め保持している歩行時の変化パターンでパターンマッチングし、マッチングすれば装置の物理的運動状態は移動中であると判断する。また、フラッシュメモリに保持しているテーブルなどを利用し、その加速度の値によって、歩行で移動中である、なども判断する。
【００９５】
ここで、「装置自身の物理的運動状態が"歩行中"である」と判断された場合、表示形態決定プログラムは「フラッシュメモリ」のアドレスβに格納されている閾値の数値を「主メモリ」のアドレス５に読み出し格納する。そして、「距離測定センサ」によって顔と装置とが近づいたことが検出されると、「主メモリ」のアドレス２に格納されたその距離を示す数値と、そのアドレス５に格納した閾値との大小比較処理を「ＣＰＵ」の演算処理にて実行する。
【００９６】
その大小比較の結果、距離が閾値以下であれば、その顔と装置との間の距離が近づいたのは歩行による振動誤差として情報表示形態として拡大縮小を選択しない（処理を実行しない）。また、その大小比較の結果、距離が閾値以上であれば、ユーザーの意図により装置と顔とが近づけられたとして、情報表示形態として拡大縮小を選択する（処理を実行する）、という具合である。
【００９７】
<処理の流れ>
【００９８】
図１１に示すのは、本実施例の生理適応型表示装置における処理の流れの一例を表すフローチャートである。なお、以下に示すステップは、媒体に記録され計算機を制御するためのプログラムを構成する処理ステップであっても構わない。この図にあるように、まず、（表示画面を閲覧するユーザーの）身体に装着されたセンサから生理情報を取得する（ステップＳ１１０１）。
【００９９】
また、例えば加速度センサなどを利用して、装置自身の運動情報を取得する（ステップＳ１１０２）。
【０１００】
つづいて、その取得した生理情報と運動情報とに応じて、情報表示部での表示形態を選択し（ステップＳ１１０３）、選択した表示形態で情報を表示する（ステップＳ１１０４）。
【０１０１】
<効果の簡単な説明>
【０１０２】
以上のように、本実施例の生理適応型表示装置によって、ユーザーの生理に加え、装置自身の物理的運動状態にも適応した好適な表示形態での情報表示を行うことができる。
【図面の簡単な説明】
【０１０３】
【図１】実施例１の生理適応型表示装置における情報表示の一例を説明するための概念図
【図２】実施例１の生理適応型表示装置における機能ブロックの一例を表す図
【図３】実施例１の生理適応型表示装置の情報表示部での表示形態の一例について説明するための図
【図４】実施例１の生理適応型表示装置の情報表示部での表示形態の、別の一例について説明するための図
【図５】実施例１の生理適応型表示装置の選択部での選択の一例を説明するためのテーブルを表す概念図
【図６】実施例１の生理適応型表示装置におけるハードウェア構成の一例を表す概略図
【図７】実施例１の生理適応型表示装置における処理の流れの一例を表すフローチャート
【図８】実施例２の生理適応型表示装置における機能ブロックの一例を表す図
【図９】実施例２の生理適応型表示装置の選択部における運動情報も加味した選択の一例を説明するための図
【図１０】実施例２の生理適応型表示装置におけるハードウェア構成の一例を表す概略図
【図１１】実施例２の生理適応型表示装置における処理の流れの一例を表すフローチャート
【符号の説明】
【０１０４】
０２００  生理適応型表示装置
０２０１  生理情報センシング部
０２０２  情報表示部
０２０３  選択部
【図１】
2007265274.tif 000003
【図２】
2007265274.tif 000004
【図３】
2007265274.tif 000005
【図４】
2007265274.tif 000006
【図５】
2007265274.tif 000007
【図６】
2007265274.tif 000008
【図７】
2007265274.tif 000009
【図８】
2007265274.tif 000010
【図９】
2007265274.tif 000011
【図１０】
2007265274.tif 000012
【図１１】
2007265274.tif 000013